(57)【要約】  本発明は、ＬＥＤアセンブリ及びこれを用いたバナーに関するもので、より詳しくは、ＬＥＤに薄膜投光部と厚膜投光部を備えた投光部を覆い光が乱射することを防ぎ、光の照射範囲を投光部のサイズに指定するが、薄膜投光部では光を遠くまで到達するようにしながらもＬＥＤの正面の直ぐ前での眩しい現象を緩和させ、厚膜投光部では媒質が厚いため媒質を通過する光の一部が内部で反射して光を側面にも伝達するため、遠距離と近距離の両方における視認性と形態性が向上したＬＥＤアセンブリ、これの取り付け方法及びこれを用いたバナーに関する。【選択図】図1
2012517713.tif 000002
【特許請求の範囲】
【請求項１】
少なくともひとつ以上のＬＥＤと、前記ＬＥＤの発光部分を囲んで前記ＬＥＤの光を外部へ透過させ底面が平らな投光部と、前記ＬＥＤの底面に位置する固定部を含むが、前記投光部は、前記ＬＥＤの直ぐ前での眩しい現象を緩和させ遠距離での視認性を高めるため、投光部の厚みが薄い少なくともひとつ以上の薄膜投光部と、前記ＬＥＤの光を広く分散させてＬＥＤの側面にも光を発光させるための投光部の厚みが前記薄膜投光部より厚い少なくともひとつ以上の厚膜投光部と、を含むことを特徴とする視認性と形態性が向上したＬＥＤアセンブリ。
【請求項２】
前記薄膜投光部または厚膜投光部が図形、数字または文字の形態を有することを特徴とする請求項１に記載の視認性と形態性が向上したＬＥＤアセンブリ。
【請求項３】
前記固定部には前記ＬＥＤを囲んだ形態の隔壁が取り付けられており、前記投光部は前記隔壁に結合されることを特徴とする請求項１に記載の視認性と形態性が向上したＬＥＤアセンブリ。
【請求項４】
前記投光部と前記ＬＥＤが分離することができることを特徴とする請求項１に記載の視認性と形態性が向上したＬＥＤアセンブリ。
【請求項５】
前記投光部の下部には反射板が設けられていることを特徴とする請求項１に記載の視認性と形態性が向上したＬＥＤアセンブリ。
【請求項６】
前記薄膜投光部は０．１〜１０ｍｍの厚みを有し、前記厚膜投光部は前記薄膜投光部の厚みより１．５〜２０倍の厚みを有することを特徴とする請求項１に記載の視認性と形態性が向上したバナー。
【請求項７】
少なくともひとつ以上のＬＥＤと、前記ＬＥＤの底面に位置する支持台と、前記ＬＥＤと支持台を囲んで前記ＬＥＤの光を外部へ透過させ底面が平らで、前記ＬＥＤの直ぐ前での眩しい現象を緩和させ、遠距離での視認性を高めるために投光部の厚みが薄い少なくともひとつ以上の薄膜投光部と、前記ＬＥＤの光を広く分散させてＬＥＤの側面にも光を発光させるための、投光部の厚みが前記薄膜投光部より厚い少なくともひとつ以上の厚膜投光部とを含む投光部と、前記支持台の底面に位置する固定部と、を含むことを特徴とする視認性と形態性が向上したＬＥＤアセンブリ。
【請求項８】
前記支持台の直径は前記ＬＥＤの直径より長く、前記支持台には前記ＬＥＤの周りに前記ＬＥＤを保護するための保護壁が設けられていることを特徴とする請求項７に記載の視認性と形態性が向上したＬＥＤアセンブリ。
【請求項９】
少なくともひとつ以上のＬＥＤと、内部がＬＥＤの側面と接し外部は固定物と接する側壁と、前記側壁と連結され、ＬＥＤの発光部分を囲んで前記ＬＥＤの光を外部へ透過させ、前記ＬＥＤの直ぐ前での眩しい現象を緩和させ、遠距離での視認性を高めるため投光部の厚みが薄い少なくともひとつ以上の薄膜投光部と、前記ＬＥＤの光を広く分散させてＬＥＤの側面にも光を発光させるための投光部の厚みが前記薄膜投光部より厚い少なくともひとつ以上の厚膜投光部とを含む投光部と、ＬＥＤの下部に位置する固定部と、を含むことを特徴とする視認性と形態性が向上したＬＥＤアセンブリ。
【請求項１０】
少なくともひとつ以上のＬＥＤと、前記ＬＥＤの底面に位置する支持台と、内部が前記支持台と接し外部は固定物と接する側壁と、前記側壁と連結されており、ＬＥＤの発光部分を囲んで前記ＬＥＤの光を外部へ透過させ、前記ＬＥＤの直ぐ前での眩しい現象を緩和させ遠距離での視認性を高めるため投光部の厚みが薄い少なくともひとつ以上の薄膜投光部と、前記ＬＥＤの光を広く分散させてＬＥＤの側面にも光を発光させるための投光部の厚みが前記薄膜投光部より厚い少なくともひとつ以上の厚膜投光部とを含む投光部と、ＬＥＤの下部に位置し、内部にＰＣＢ基板を含む固定部と、を含むことを特徴とする視認性と形態性が向上したＬＥＤアセンブリ。
【請求項１１】
前記支持台または前記側壁には、ねじ溝またはフックが形成されていることを特徴とする請求項１０に記載の視認性と形態性が向上したＬＥＤアセンブリ。
【請求項１２】
固定部を中心としてそれぞれ両面に取り付けられた２つのＬＥＤと、前記２つのＬＥＤをそれぞれ囲んで前記ＬＥＤの光を外部へ透過させ底面が平らな２つの投光部を含むが、前記それぞれの投光部は、前記ＬＥＤの直ぐ前での眩しい現象を緩和させ、遠距離での視認性を高めるため投光部の厚みが薄い少なくともひとつ以上の薄膜投光部と、前記ＬＥＤの光を広く分散させてＬＥＤの側面にも光を発光させるための投光部の厚みが前記薄膜投光部より厚い少なくともひとつ以上の厚膜投光部と、を含むことを特徴とする視認性と形態性が向上したＬＥＤアセンブリ。
【請求項１３】
複数のＬＥＤアセンブリを組み合わせて文字または図形を表し、それぞれのＬＥＤアセンブリは、少なくともひとつ以上のＬＥＤと、前記ＬＥＤの発光部分を囲んで前記ＬＥＤの光を外部へ透過させ底面が平らな投光部と、前記ＬＥＤの底面に位置する固定部とを含むが、前記投光部は、前記ＬＥＤの直ぐ前での眩しい現象を緩和させ、遠距離での視認性を高めるため投光部の厚みが薄い少なくともひとつ以上の薄膜投光部と前記ＬＥＤの光を広く分散させてＬＥＤの側面にも光を発光させるための投光部の厚みが前記薄膜投光部より厚い少なくともひとつ以上の厚膜投光部と、を含むことを特徴とする視認性と形態性が向上したＬＥＤアセンブリ。
【請求項１４】
前記ＬＥＤの外部には前記ＬＥＤを囲う光拡散部が形成され、前記光拡散部は、下部が固定部に結合され固定部の下部からＬＥＤの側面に沿って薄い壁を形成しＬＥＤの上部に上がった形状であることを特徴とする請求項１に記載の視認性と形態性が向上したＬＥＤアセンブリ。
【請求項１５】
前記ＬＥＤと前記支持台と接する前記投光部には、少なくともひとつ以上の空気排出溝またはエンボスが形成されていることを特徴とする請求項７または１０に記載の視認性と形態性が向上したＬＥＤアセンブリ。
【請求項１６】
少なくともひとつ以上のＬＥＤと、前記ＬＥＤの発光部分を囲んで前記ＬＥＤの光を外部へ透過させ底面が平らで、前記ＬＥＤの直ぐ前での眩しい現象を緩和させ遠距離での視認性を高めるために投光部の厚みが薄い少なくともひとつ以上の薄膜投光部と、前記ＬＥＤの光を広く分散させてＬＥＤの側面にも光を発光させるための投光部の厚みが前記薄膜投光部より厚い少なくともひとつ以上の厚膜投光部とを含む投光部と、前記ＬＥＤの底面に位置した固定部を含むＬＥＤアセンブリの取り付け方法において、前記ＬＥＤアセンブリは、前記固定部が固定物に高周波圧着方式によって取り付けられることを特徴とする視認性と形態性が向上したＬＥＤアセンブリの取り付け方法。
【請求項１７】
少なくともひとつ以上のＬＥＤと、前記ＬＥＤの光を外部へ透過させ底面が平らで、前記ＬＥＤの直ぐ前での眩しい現象を緩和させ遠距離での視認性を高めるため投光部の厚みが薄い少なくともひとつ以上の薄膜投光部と、前記ＬＥＤの光を広く分散させてＬＥＤの側面にも光を発光させるための投光部の厚みが前記薄膜投光部より厚い少なくともひとつ以上の厚膜投光部とを含む投光部と、前記ＬＥＤの底面に位置した固定部を含むＬＥＤアセンブリの取り付け方法において、前記固定部が固定物の嵌込孔に嵌められた状態で投光部が固定物の上部で結合する方式で固定物に取り付けられ、ＬＥＤの取替えが簡単にできることを特徴とする視認性と形態性が向上したＬＥＤアセンブリの取り付け方法。
【請求項１８】
少なくともひとつ以上のＬＥＤと、前記ＬＥＤの底面に位置する支持台と、前記ＬＥＤと支持台を囲んで前記ＬＥＤの光を外部へ透過させ底面が平らで、前記ＬＥＤの直ぐ前での眩しい現象を緩和させ遠距離での視認性を高めるため投光部の厚みが薄い少なくともひとつ以上の薄膜投光部と、前記ＬＥＤの光を広く分散させてＬＥＤの側面にも光を発光させるための投光部の厚みが前記薄膜投光部より厚い少なくともひとつ以上の厚膜投光部とを含む投光部と、前記支持台の底面に位置する固定部を含むＬＥＤアセンブリの取り付け方法において、前記投光部が固定物の嵌込孔の上部に位置し、前記ＬＥＤと結合されている支持台と固定部が嵌込孔の下部で前記投光部に嵌められる方式で固定物に取り付けられることを特徴とする視認性と形態性が向上したＬＥＤアセンブリの取り付け方法。
【請求項１９】
伝えようとする内容が表示された表示部と、前記表示部に一定の間隔で取り付けられた請求項１ないし１２のいずれか１項による複数のＬＥＤアセンブリと、前記ＬＥＤアセンブリを制御する制御部と、前記ＬＥＤアセンブリに電源を供給する電源供給部と、を含むことを特徴とする視認性と形態性が向上したＬＥＤアセンブリを用いたバナー。
【請求項２０】
前記表示部は、巻いたり潰しても復元可能な材質で作られたことを特徴とする請求項１９に記載の視認性と形態性が向上したＬＥＤアセンブリを用いたバナー。
【請求項２１】
前記表示部は、２つの表示部が伝えようとする内容が外部を向くように結合された形態であることを特徴とする請求項１９に記載の視認性と形態性が向上したＬＥＤアセンブリを用いたバナー。
【請求項２２】
前記表示部の後面には、ＬＥＤアセンブリの露出した電線を囲う補助部が取り付けられていることを特徴とする請求項１９に記載の視認性と形態性が向上したＬＥＤアセンブリを用いたバナー。
【請求項２３】
前記固定部と前記投光部との間にはリング状のゴムリングが挿入されていることを特徴とする請求項１に記載の視認性と形態性が向上したＬＥＤアセンブリ。
【発明の詳細な説明】
【技術分野】
【０００１】
本発明は、ＬＥＤアセンブリ及びこれを用いたバナーに関するもので、より詳しくは、ＬＥＤに薄膜投光部と厚膜投光部を備えた投光部を覆い光が乱射することを防ぎ、光の照射範囲を投光部のサイズに指定するが、薄膜投光部では光を遠くまで到達するようにしながらもＬＥＤの正面の直ぐ前での眩しい現象を緩和させ、厚膜投光部では媒質が厚いため媒質を通過する光の一部が内部で反射して光を側面にも伝達するため、遠距離と近距離の両方における視認性と形態性が向上したＬＥＤアセンブリ、これの取り付け方法及びこれを用いたバナーに関する。
【背景技術】
【０００２】
ＬＥＤ（Ｌｉｇｈｔ  Ｅｍｉｔｔｉｎｇ  Ｄｉｏｄｅ）は、発光ダイオードであって、電子製品、電光板、表示器など様々な機器に多様に応用して使われている。しかし、このようなＬＥＤの一番の短所は、ＬＥＤは正面発光をするため、ＬＥＤの直ぐ前からＬＥＤを眺めると輝度が高いため眩しいことがあり、これによって目が疲れやすくなる。さらに、このようなＬＥＤを組み合わせて文字にすると、ＬＥＤの直ぐ前では眩しさによってその文字を正確に認識することが難しい。また、ＬＥＤから発光する光は直進する性質があるため、ＬＥＤの側面には光が殆ど届かないため側面からこれを認識することが容易ではないという問題がある。
【０００３】
従って、複数のＬＥＤを組み合わせて文字にする場合には、ＬＥＤ正面の直ぐ前では眩しさによって目が疲れやすく、投光部の形状を認識することが困難で、逆に側面では、光が届かず投光部の形状を認識することが容易ではないため、全体的に文字を認識し辛い場合がある。
【０００４】
さらに、上記のＬＥＤの正面発光とＬＥＤから発光した光の直進性のため、従来のＬＥＤを用いた発光装置は、一つのＬＥＤ光が照射される範囲が相対的に狭いため、複数のＬＥＤを使用して遠距離及び近距離からの視認性を向上させた。しかし、この場合には、複数のＬＥＤを設けなければならないため回路の構成が複雑になり、設置代、材料費などが高く、さらにメンテナンスが難しいという問題があった。
【０００５】
一方、バナーは広告物の一つであって、店舗、会社、営業所、機関などにおいて織物地、シート紙、フィルムなどにその名前、販売商品、営業種目、広報内容などを記載して屋内外に人に目立つように掛けたり貼り付けたりする表紙であって、洋の東西を問わず広く使われている広告物の一種である。しかし、バナーには様々な素材の変化及び発展はあったものの、バナーに光源を挿入したものは無かった。
【０００６】
従って、夜間にはその機能が限られるため、本発明は、バナーに光源を新しい技術によって挿入し、昼間だけでなく夜間でもその広告効果を極めることにある。
【発明の概要】
【発明が解決しようとする課題】
【０００７】
本発明は、上記の問題点を解決するために発明されたもので、本発明は、ＬＥＤに薄膜投光部と厚膜投光部を備えた投光部を覆って光が乱射することを防ぎ、光の照射範囲を投光部の大きさに指定し、薄膜投光部ではＬＥＤ正面の直ぐ前での眩しさを緩和させ光が遠くまで届くようにし、厚膜投光部では厚い媒質を通過する光の一部が内部で反射して光が側面まで届くようにして遠距離と近距離における視認性と形態性が向上したＬＥＤアセンブリ及びこれの取り付け方法を提供することにその目的がある。
【０００８】
また、本発明は、遠距離／近距離及び正面／側面におけるバナーの視認性を向上させて広告及び広報効果を極めた視認性が向上したバナーを提供することにその目的がある。
【課題を解決するための手段】
【０００９】
本発明による視認性と形態性が向上したＬＥＤアセンブリは、少なくともひとつ以上のＬＥＤと、上記ＬＥＤの発光部分を囲んで上記ＬＥＤの光を外部へ透過させ底面が平らな投光部と、上記ＬＥＤの底面に位置する固定部とを含むが、上記投光部は、上記ＬＥＤの直ぐ前での眩しい現象を緩和させ遠距離での視認性を高めるため投光部の厚みが薄い少なくともひとつ以上の薄膜投光部と、上記ＬＥＤの光を広く分散させてＬＥＤの側面にも光を発光させるための、投光部の厚みが上記薄膜投光部より厚い少なくともひとつ以上の厚膜投光部と、を含むことを特徴とする。
【００１０】
本発明の他の好ましい特徴によると、上記薄膜投光部または厚膜投光部が図形、数字または文字の形態を有する。
【００１１】
本発明の他の好ましい特徴によると、上記固定部には上記ＬＥＤを囲んだ形態の隔壁が取り付けられており、上記投光部は上記隔壁に結合される。
【００１２】
本発明の他の好ましい特徴によると、上記投光部と上記ＬＥＤが分離することができる。
【００１３】
本発明の他の好ましい特徴によると、上記投光部の下部には反射板が設けられている。
【００１４】
本発明の他の好ましい特徴によると、上記薄膜投光部は０．１〜１０ｍｍの厚みを有し、上記厚膜投光部は上記薄膜投光部の厚みより１．５〜２０倍の厚みを有する。
【００１５】
本発明による他の視認性と形態性が向上したＬＥＤアセンブリは、少なくともひとつ以上のＬＥＤと、上記ＬＥＤの底面に位置する支持台と、上記ＬＥＤと支持台を囲んで上記ＬＥＤの光を外部へ透過させ底面が平らで、上記ＬＥＤの直ぐ前での眩しい現象を緩和させ遠距離での視認性を高めるため投光部の厚みが薄い少なくともひとつ以上の薄膜投光部と、上記ＬＥＤの光を広く分散させてＬＥＤの側面にも光を発光させるための、投光部の厚みが上記薄膜投光部より厚い少なくともひとつ以上の厚膜投光部とを含む投光部と、上記支持台の底面に位置する固定部と、を含むことを特徴とする。
【００１６】
本発明による他の視認性と形態性が向上したＬＥＤアセンブリは、少なくともひとつ以上のＬＥＤと、内部がＬＥＤの側面と接し外部は固定物と接する側壁と、上記側壁と連結されており、ＬＥＤの発光部分を囲んで上記ＬＥＤの光を外部へ透過させ、上記ＬＥＤの直ぐ前での眩しい現象を緩和させ、遠距離での視認性を高めるため投光部の厚みが薄い少なくともひとつ以上の薄膜投光部と、上記ＬＥＤの光を広く分散させてＬＥＤの側面にも光を発光させるための投光部の厚みが上記薄膜投光部より厚い少なくともひとつ以上の厚膜投光部とを含む投光部と、ＬＥＤの下部に位置する固定部と、を含むことを特徴とする。
【００１７】
本発明による他の視認性と形態性が向上したＬＥＤアセンブリは、少なくともひとつ以上のＬＥＤと、上記ＬＥＤの底面に位置する支持台と、内部が上記支持台と接し外部は固定物と接する側壁と、上記側壁と連結されており、ＬＥＤの発光部分を囲んで上記ＬＥＤの光を外部へ透過させ、上記ＬＥＤの直ぐ前での眩しい現象を緩和させ、遠距離での視認性を高めるため投光部の厚みが薄い少なくともひとつ以上の薄膜投光部と、上記ＬＥＤの光を広く分散させてＬＥＤの側面にも光を発光させるための投光部の厚みが上記薄膜投光部より厚い少なくともひとつ以上の厚膜投光部とを含む投光部と、ＬＥＤの下部に位置し、内部にＰＣＢ基板を含む固定部と、を含むことを特徴とする。
【００１８】
本発明による他の視認性と形態性が向上したＬＥＤアセンブリは、固定部を中心としてそれぞれ両面に取り付けられた２つのＬＥＤと、上記２つのＬＥＤをそれぞれ囲んで上記ＬＥＤの光を外部へ透過させ底面が平らな２つの投光部を含むが、上記それぞれの投光部は、上記ＬＥＤの直ぐ前での眩しい現象を緩和させ遠距離での視認性を高めるため投光部の厚みが薄い少なくともひとつ以上の薄膜投光部と、上記ＬＥＤの光を広く分散させてＬＥＤの側面にも光を発光させるための投光部の厚みが上記薄膜投光部より厚い少なくともひとつ以上の厚膜投光部と、を含むことを特徴とする。
【００１９】
本発明による他の視認性と形態性が向上したＬＥＤアセンブリは、複数のＬＥＤアセンブリを組み合わせて文字または図形を表し、それぞれのＬＥＤアセンブリは、少なくともひとつ以上のＬＥＤと、上記ＬＥＤの発光部分を囲んで上記ＬＥＤの光を外部へ透過させ底面が平らな投光部と、上記ＬＥＤの底面に位置する固定部と、を含むが、上記投光部は、上記ＬＥＤの直ぐ前での眩しい現象を緩和させ遠距離での視認性を高めるため投光部の厚みが薄い少なくともひとつ以上の薄膜投光部と、上記ＬＥＤの光を広く分散させてＬＥＤの側面にも光を発光させるための投光部の厚みが上記薄膜投光部より厚い少なくともひとつ以上の厚膜投光部と、を含むことを特徴とする。
【００２０】
本発明の他の好ましい特徴によると、上記ＬＥＤの外部には上記ＬＥＤを囲んだ光拡散部が形成され、上記光拡散部は、下部が固定部に結合され固定部の下部からＬＥＤの側面に沿って薄い壁を形成しＬＥＤの上部に乗っている形状である。
【００２１】
本発明によるＬＥＤアセンブリの取り付け方法は、ＬＥＤアセンブリは上記固定部が固定物に高周波圧着方式によって取り付けられることを特徴とする。
【００２２】
本発明による他のＬＥＤアセンブリの取り付け方法は、上記固定部が固定物の嵌込孔に嵌められた状態で投光部が固定物の上部に結合する方式で固定物に取り付けられることを特徴とする。
【００２３】
本発明による視認性と形態性が向上したＬＥＤアセンブリを用いたバナーは、伝えようとする内容が表示された表示部と、上記表示部に一定の間隔で取り付けられた第１項ないし第１２項のいずれかひとつの項による複数のＬＥＤアセンブリと、上記ＬＥＤアセンブリを制御する制御部と、上記ＬＥＤアセンブリに電源を供給する電源供給部と、を含むことを特徴とする。
【００２４】
本発明の他の好ましい特徴によると、上記表示部は、巻いたり潰したりしても復元可能な材質からなる。
【００２５】
本発明の他の好ましい特徴によると、上記表示部は、２つの表示部が伝えようとする内容が外部を向くように結合した形態である。
【００２６】
本発明の他の好ましい特徴によると、上記表示部の後面には、ＬＥＤアセンブリの露出した電線を囲う補助部が取り付けられている。
【発明の効果】
【００２７】
本発明による視認性と形態性が向上したＬＥＤアセンブリは、従来のＬＥＤアセンブリと比べて同じ電力を消費する一つのＬＥＤを使用するとしても、遠距離だけでなく近距離である直ぐ前と側面からもＬＥＤ光を認識することが容易であるため、視認性と形態性が向上する。特に、ＬＥＤの正面の直ぐ前での眩しい現象が緩和し、ＬＥＤの側面にもＬＥＤの光を容易に認識することができる。
【００２８】
従って、本発明によるＬＥＤアセンブリを組み合わせて文字または図形にすると、遠距離からもその内容を容易に認識することができるだけでなく、ＬＥＤの正面の直ぐ前と側面にもその内容を容易に認識することができる。
【００２９】
また、ＬＥＤ光の色と投光部の色を同じ或いは異なるようにしたり、または薄膜投光部と厚膜投光部の厚みが異なるようにして、ＬＥＤを使って様々な光を表現することができるため、広告板に使用する際にその広告効果に優れている。
【００３０】
また、本発明によるＬＥＤは、前面及び側面へと光が照射する範囲が広くなり、少数のＬＥＤを使用しながらも従来ののＬＥＤ発光体と同じ効果を得ることができる。従って、本発明によるＬＥＤは、同じ範囲を照らしても従来のＬＥＤに比べて少数のＬＥＤを使用することによって電力の消費が相対的に少ないため電気効率が非常に高い。
【００３１】
一方、本発明による視認性が向上したバナーは、バナー自体に印刷された内容を強調するための発光手段としてのＬＥＤアセンブリが取り付けられているため、他のバナーに比べて人の視線を集めることができる。特に夜間の場合には、他のバナーがバナーとしての役割を果たしていないことに対して、本発明によって視認性が向上したバナーは、様々な色と形態の発光体を用いて人に目立つため、バナーの機能である広告及び広報効果に非常に優れている。
【００３２】
さらに、本発明によるバナーは、薄膜投光部と厚膜投光部を備えたＬＥＤアセンブリを使用することによって、従来のバナーと比べて遠距離／近距離及び正面／側面での視認性が向上する。特に、ＬＥＤの正面からの眩しい現象が緩和し、ＬＥＤの側面にもＬＥＤの光を容易に認識することができる。
【００３３】
従って、本発明によるＬＥＤアセンブリを組み合わせて文字または図形にすると、遠距離からもその内容を容易に認識できるだけでなく、ＬＥＤの正面と側面にもその内容を容易に認識することができるため、バナーによって伝えようとした内容を迅速かつ正確に伝えることができ、広告効果に優れている。
【図面の簡単な説明】
【００３４】
【図１】本発明による視認性と形態性が向上したＬＥＤアセンブリの第１実施例の概略図である。
【図２】ＬＥＤの発光部分が小さい場合の本発明による視認性と形態性が向上したＬＥＤアセンブリの概略図である。
【図３】投光部の一例であって薄膜投光部は平らで厚膜投光部が凸した四面体の形状をした投光部の斜視図である。
【図４】薄膜投光部が陰刻されたことを示した図面である。
【図５】厚膜投光部が浮き彫りされたことを示した図面である。
【図６】複数の薄膜投光部と厚膜投光部が存在するＬＥＤアセンブリの例示図である。
【図７】本発明による固定部の一実施例が図示されたＬＥＤアセンブリの断面図である。
【図８】本発明による第１実施例の変形例を示した概略図である。
【図９】本発明によるＬＥＤアセンブリが固定物に取り付けられたことを図示した図面である。
【図１０】本発明によるＬＥＤアセンブリが嵌込孔に嵌められ固定物に取り付けられたことを図示した図面である。
【図１１】２つの空気排出溝が形成されたＬＥＤアセンブリの断面図である。
【図１２】図１１のＡＡ部分の断面図である。
【図１３】エンボスが形成されたＬＥＤアセンブリの断面図である。
【図１４】本発明による視認性と形態性が向上したＬＥＤアセンブリの第２実施例の概略図である。
【図１５】本発明による第２実施例の変形例を示した概略図である。
【図１６】本発明による視認性と形態性が向上したＬＥＤアセンブリの第３実施例の概略図である。
【図１７】本発明による視認性と形態性が向上したＬＥＤアセンブリの第４実施例の概略図である。
【図１８】第５実施例の一例として取付部が設けられたＬＥＤアセンブリの概略図である。
【図１９】第６実施例の一例として光拡散部が設けられたＬＥＤアセンブリの概略図である。
【図２０】本発明による視認性と形態性が向上したＬＥＤアセンブリの第７実施例の概略図である。
【図２１】本発明によるバナーの概略図である。
【図２１】本発明によるバナーの一実施例であって、店舗の上部に設けられた商品の位置表示バナーの概略図である。
【図２２】本発明によるバナーの一実施例であって、店舗の出入り口に設けられたバナーの概略図である。
【図２３】本発明によるバナーの一実施例であって、街路灯バナーの概略図である。
【図２４】本発明によるバナーの一実施例であって、垂れ幕の概略図である。
【図２５】本発明によるバナーの一実施例であって、ガラス窓に設けられたバナーの概略図である。
【図２６】本発明によるバナーの一実施例であって、人を使ったバナーの概略図である。
【発明を実施するための形態】
【００３５】
以下に例示図をもとに本発明の一実施例に関する構成及び作用を詳しく説明する。但し、以下の実施例は、本発明が属した技術分野において通常の知識を有する者が本発明を十分理解するようにするために提供されるもので、本発明の範囲がこれによって限定されるのではない。
【００３６】
図１は、本発明による視認性と形態性が向上したＬＥＤアセンブリの第１実施例の概略図である。図１のように、本発明による視認性と形態性が向上したＬＥＤアセンブリは、ＬＥＤ１、投光部１０と固定部３０を含む。
【００３７】
本発明で使われるＬＥＤは、その形態に特に制限は無い。例えば、ＬＥＤの発光部分が図１のように長い場合だけでなく、図２のようにＬＥＤの発光部分が短い場合も含む。ここで、図２のようにＬＥＤの発光部分が短い場合には、図１と比べてＬＥＤ側面の明るさがより強調されることができる。さらに、図２のようにＬＥＤの発光部分が短い場合には、投光部の形状がＬＥＤ発光の形状によって変わることもできる。他にも、発光部分が短いが広い形態のＬＥＤ及び丸い形態のＬＥＤも本発明に適用できることは当然である。
【００３８】
本発明に使われるＬＥＤは、少なくともひとつ以上設けられる。ここで、ＬＥＤの数には特に制限は無い。複数のＬＥＤが設けられる場合には、互いに異なる色のＬＥＤが設けられることができ、さらにそれぞれのＬＥＤが設けられる角度を変えて設けることもできる。これは、ＬＥＤから放出される光の直進性を考えて様々な角度からの視認性を向上させるためである。
【００３９】
投光部１０は、ＬＥＤ１の発光部分を囲んでＬＥＤ１の光を外部へ透過させ、底面は平らな形態を成す。投光部１０は、光が乱射することを防ぎ、照射範囲を形状の大きさに指定して光の集中度を高め、その形状によって様々な表現ができ、一つのＬＥＤアセンブリに複数の色、形及び明るさが表現できるようにする。また、投光部１０は、ＬＥＤ１の発光部分を囲んでいるため、ＬＥＤ１に与えられる外部の衝撃からＬＥＤ１を保護する役割をする。ＬＥＤ１から放出された光は、投光部１０を経て外部へ放出されるが、投光部１０を通りながら光は反射、回折などをする。本発明における投光部１０は、少なくともひとつ以上の薄膜投光部１２と少なくともひとつ以上の厚膜投光部１４で構成されていることを特徴とする。
【００４０】
薄膜投光部１２は、ＬＥＤ１の光を遠距離まで届けるが、近距離、特にＬＥＤの直ぐ前での眩しい現象を緩和させるために投光部の厚みが薄い部分であり、厚膜投光部１４は、ＬＥＤ１の光を広く分散させてＬＥＤ１の側面からもＬＥＤ１の光を容易に認識して形状を強調するために投光部の厚みが上記薄膜投光部１２より厚い部分である。薄膜投光部１２ではＬＥＤ１の光が通過する媒質の厚みが薄いため、光はエネルギーの損失無く殆ど通過するようになり、従って、比較的に遠距離にいる人も薄膜投光部１２から放出される光を認識することができる。しかし、薄膜投光部１２にも薄い膜が存在するため、これによってＬＥＤの正面の直ぐ前での眩しい現象が緩和される。
【００４１】
薄膜投光部１２の厚みは、設置されているＬＥＤの輝度によって変わる。通常のＬＥＤの場合には、厚みが０．１〜１０ｍｍであることが好ましい。０．１ｍｍ未満であると直ぐ前での眩しい現象があり、１０ｍｍを超えるとＬＥＤ光が薄膜投光部によって妨害を受け遠くまで届き難くなる。
【００４２】
薄膜投光部１２は、光を遠距離まで届けることを可能にしながらも、ＬＥＤの直ぐ前での眩しい現象を緩和させて全体的に視認性を向上させる。
【００４３】
このような薄膜投光部１２は、投光部１０の内部に孔を開けて薄膜投光部を回りより薄くしたり、投光部の外部の表面のうち光が強く発散される必要のある部分を回りより薄く成形する方法で形成することができる。
【００４４】
図１では、薄膜投光部１２を側面から見たとき平らな形態を図示したが、必要によっては光が拡散できる膨らんだ形態または光が集まることができる凹んだ形態を有することもできる。
【００４５】
厚膜投光部１４は、投光部の厚みが薄膜投光部１２より厚い部分であって、媒質が厚いため媒質を通過する光の一部は、内部で反射して厚膜投光部１４の全体にわたって光が分散して外部へ放出されるようになる。従って、厚膜投光部１４から放出される光は、薄膜投光部１２から放出される光に比べると暗いが、全体的に分散してＬＥＤ１の発光方向の正面だけでなく側面にもその形態を認識することができる。
【００４６】
結果として、薄膜投光部１２から放出される光は、ＬＥＤ１の正面から遠くまで到達して遠い距離にいる人も容易に認知することができながらも、ＬＥＤ正面の直ぐ前での眩しい現象を緩和させて近距離、特に直ぐ前からも目の疲れ無くＬＥＤ１光を認識することができ、厚膜投光部１４から放出される光は、ＬＥＤ１の側面にもＬＥＤ光が放出されてＬＥＤ１の光の進行方向の側面にもその形態を人が容易に認知できるようにして形態性の向上に役立つ。さらに、薄膜投光部１２からの光は明るく厚膜投光部１４からの光はかすかに照らして、薄膜投光部１２と厚膜投光部１４がバランス良く視覚的に非常に優れた効果を奏している。
【００４７】
厚膜投光部１４の厚みには特に制限は無いが、厚膜投光部は光が側面に放出されるために薄膜投光部１２より１．５〜２０倍の厚みを有することが好ましい。２０倍を超えると外部へ放出される光の量が少なすぎるという問題がある。
【００４８】
薄膜投光部１２と厚膜投光部１４の位置には特に制限は無いが、薄膜投光部１２からの光が遠距離まで到達するためには、ＬＥＤ１から放出される光の直進性を考えると、ＬＥＤ１光が最も強く放出される方向である前面に形成されることが好ましく、厚膜投光部１４は薄膜投光部１２の周りに設置されることが好ましい。
【００４９】
また、薄膜投光部１２と厚膜投光部１４の数には特に制限は無く、必要に応じて複数を形成することもできる。
【００５０】
投光部１０の全体的な形態には特に制限は無い。図１では四面体を基準として図示したが、必要によっては、三面体、五面体、六面体、半球形などの様々な立体的な形状を有することもできる。図３は、様々な立体的な形状の例示であって、半球形の形状を有する投光部を図示した。ここで投光部１０の上部は、ガラスやプラスチックなどに接触するときは、その密着性を良くするために、図１または図２のように投光部１０の上部を平らに形成することもできる。
【００５１】
また、薄膜投光部１２と厚膜投光部１４を上から見たときの形態には特に制限は無い。一般に円形を成すが、場合によって、星、三角形、四角形、動物、人、文字などを含む特定の図形或いは文字の形態を有することもできる。この場合に、薄膜投光部１２または厚膜投光部１４に形成されている図形や文字の形態を外部から認識することが可能となる。
【００５２】
薄膜投光部１２は、投光部の厚みが相対的に薄い部分を意味するため、薄膜投光部１２は、先ず投光部を形成し、次に投光部から薄膜投光部１２に該当する部分を陰刻する方式によって具現されることができる。図４は、薄膜投光部１２が陰刻されたことを示した図面である。図４（ａ）ないし（ｄ）のように、薄膜投光部１２は投光部の陰刻された部分であり、その他の部分は厚膜投光部１４となる。
【００５３】
また厚膜投光部１４は、投光部の厚みが相対的に厚い部分を意味するため、厚膜投光部１４は、投光部を形成し、この投光部において厚膜投光部１４に該当する部分を浮き彫りにする方式によって具現することができる。図５は、厚膜投光部１４が浮き彫りされたことを示した図面である。図５（ａ）ないし（ｄ）のように、厚膜投光部１４は投光部において浮き彫りされた部分であり、その他の部分は薄膜投光部１２となる。図４の場合には、厚膜投光部１４が中央に位置し薄膜投光部１２がその周りに位置することを示した図面である。
【００５４】
さらに、浮き彫りと陰刻を適切に組み合わせて薄膜投光部１２と厚膜投光部１４が複数存在するようにすることもできる。図６は、複数の薄膜投光部１２と厚膜投光部１４が存在するＬＥＤアセンブリの例示図である。図６（ａ）と図６（ｂ）のように、中央に位置する浮き彫りになった厚膜投光部１４’と回りに位置する他の厚膜投光部１４”が存在し、その間に陰刻された薄膜投光部１２が存在する。従って、外部から見ると図６（ａ）の場合には、中央の円１４’と周りの円１４”との間の薄膜投光部１２が最も明るく見える効果があり、図６（ｂ）の場合には中央の星１４’と周りの四角形１４”との間の空間の薄膜投光部１２が最も明るく見える効果がある。図４ないし図６は、投光部の上部の平らな部分のみ図示したものである。
【００５５】
また、ＬＥＤ発光装置の視覚的な効果を強調するために薄膜投光部１２や厚  膜投光部１４には色を塗ることもできる。ここで、薄膜投光部１２と厚膜投光部１４は同じ色で塗ることもできるが、互いに異なる色で塗ることもできる。また、薄膜投光部１２と厚膜投光部１４に複数の色を同時に塗ることもできる。さらに、薄膜投光部１２と厚膜投光部１４の外部のみ色を塗ることもできる。また、ＬＥＤと投光部の色を互いに同じ或いは異なるようにして一つのＬＥＤから放出される光を多様に表現することができる。
【００５６】
投光部１０の材質には特に制限は無く、成形が可能で光が透過できる材質であれば良い。一例として、ガラス、プラスチック、シリコン、ラテック、ゴム、ウレタン、レジン、エポキシ樹脂、ポリカーボネートまたはポリマーなどが挙げられる。このうち成形性に優れたシリコンや光拡張性に優れたポリカーボネートが最も好ましい。
【００５７】
固定部３０は、ＬＥＤ１と投光部１０の底面に位置する部分であって、本発明によるＬＥＤアセンブリを他の物体に取り付けるとき、固定物と接する部分である。必要によっては、この部分にＰＣＢ基板が位置したり、ＰＣＢ基板を内部に含み、本発明によるＬＥＤアセンブリを保護する支持台の役割をする部分である。
【００５８】
図７は、本発明による固定部の一実施例が図示されたＬＥＤアセンブリの断面図である。図７のように、固定部３０は、内部にＰＣＢ基板３２だけでなくＰＣＢ基板３２に連結される電線３４も含み、外部では電線３４だけが連結された形態を有するようその厚みを厚くする。このようにすることで、本発明によるＬＥＤアセンブリは、ＰＣＢ基板や電線の連結不良及び破損を著しく減少することができる。
【００５９】
一方、屋外で使用するとき、防水処理の目的で固定部３０と投光部１０の間にはリング状のゴムリングを挿入することもできる。
【００６０】
図８は、本発明による第１実施例の変形例を示した概略図である。図８のように、第１実施例の変形例は、ＬＥＤ１を囲んだ隔壁２４があり、隔壁２４に投光部１０が結合される。隔壁２４は、ＬＥＤ１を外部の衝撃から保護するだけでなく、投光部１０がここに結合される。
【００６１】
支持台２０の直径はＬＥＤ１の直径より大きく、支持台２０にはＬＥＤ１の周りにＬＥＤ１を保護するための保護壁２２が設けられることができる。保護壁２２は、本発明による視認性と形態性が向上したＬＥＤアセンブリの底飾り用のようにＬＥＤ１が破損されやすい部分に使用する場合、ＬＥＤ１が容易に破損することを防ぐため、ＬＥＤ１の周りに円形に形成されたものである。ここで、保護壁２２は必ずしもＬＥＤ１の周りを全て囲う必要は無い。
【００６２】
本発明によるＬＥＤアセンブリは、全体が一体型に作られることもできるが、投光部１０とＬＥＤ１の部分（ＬＥＤ、固定部）が相互分離して作られることもできる。全体が一体型に作られる場合には、図９のように、固定物９０に本発明によるＬＥＤアセンブリを取り付ける。ここで、取り付け方式には特に制限は無いが、作業工程上の利便性などを考えると高周波取り付け方式が最も好ましい。
【００６３】
一方、投光部１０とＬＥＤ１の部分が分離された場合には、図１０のように、嵌込孔９２の上部に投光部１０を置いて、嵌込孔９２の下部にＬＥＤ１部分を下部から上部に嵌める形に押して投光部１０と結合させる後ろ嵌め方式や、嵌込孔９２の下部にＬＥＤ１部分を下部から上部に入れた状態で嵌込孔９２の上部から投光部１０をＬＥＤ１の部分に嵌めて結合させる前嵌め方式で結合させる。従って、ＬＥＤの取替えを非常に簡単に行うことができる。この場合に投光部１０は、ＬＥＤに密着して固定されるか外部の隔壁に密着して固定される。
【００６４】
但し、ＬＥＤ１と投光部１０が分離してこれを嵌めて固定物９０に固定させる場合には、ＬＥＤ１が投光部１０に嵌められる過程で投光部１０のＬＥＤ１が嵌められる部分１００の空気がＬＥＤ１が挿入されることによって圧縮して長時間使用するときＬＥＤ１が圧縮空気によって押されＬＥＤ１の部分と投光部１０が分離するという問題があった。本発明では、このような問題点を解決すべく、投光部の内部１００に空気排出手段を形成することができる。
【００６５】
本発明における空気排出手段は、空気排出溝１８またはエンボス１９が挙げられる。図１１は、２つの空気排出溝が形成されたＬＥＤアセンブリの断面図で、図１２は、図１１のＡＡ部分の断面図である。図１１のように、投光部１０の内部のＬＥＤ１と接する部分にＬＥＤ１の挿入方向に少なくともひとつ以上の溝が形成されている。空気排出溝１８は、ＬＥＤ１が嵌められる過程で投光部１０の内部の空気を外部へ排出する役割をする。
【００６６】
図１３は、エンボスが形成されたＬＥＤアセンブリの断面図である。また、図１３のように、投光部１０の内部のＬＥＤ１と接する部分に少なくともひとつ以上のエンボスが形成されている。ＬＥＤ１が嵌められる過程で投光部１０の内部の空気は、エンボス１９の間の空間を通じて外部へ排出され投光部の内部に過度な圧縮空気が形成されることを防ぐ。ここで、空気排出溝１８またはエンボス１９は、ＬＥＤの側面だけでなく、場合によっては支持台の側面に形成することができる。
【００６７】
図１４は、本発明による視認性と形態性が向上したＬＥＤアセンブリの第２実施例の概略図である。図１４のように、本発明の第２実施例は、ＬＥＤ１、支持台２０、投光部１０、固定部３０を含む。第２実施例は、第１実施例と比べて特に支持台２０に関する部分が異なるため、この部分について詳しく説明する。
【００６８】
支持台２０は、ＬＥＤ１の下部に位置してＬＥＤ１を支持する部分である。支持台２０の側面は、本発明による視認性と形態性が向上したＬＥＤアセンブリが固定される固定物９０と接する。支持台２０は、投光部１０と完全に密着してＬＥＤ１を投光部１０内に完全に固定させ、ＬＥＤ１の揺れによる破損を防ぐための部分である。第２実施例によるＬＥＤ１アセンブリを全体が一体形になるよう作ることもできるが、投光部１０とＬＥＤ１部分（ＬＥＤ、固定部、支持台）が互いに分離して作られることもできる。全体が一体形に作られた場合は、固定物９０に本発明による視認性と形態性が向上したＬＥＤアセンブリが嵌められる部分に形成された嵌込孔９２に本発明によるＬＥＤアセンブリの固定部３０を嵌める形で固定させる。
【００６９】
一方、投光部１０とＬＥＤ１の部分が分離された場合は、嵌込孔９２の上部に投光部１０を置いて、嵌込孔９２の下部にＬＥＤ１部分を下部から上部に嵌める形に押して投光部１０と結合させる。従って、固定物９０は支持台２０と接する。ここで、支持台２０の側面とこれに接する投光部１０の内部の側面にはねじ山が形成され、結合を容易かつ頑固にすることができる。ねじ山の他にフックのような結合手段を使用することもできる。
【００７０】
図１５は、本発明による第２実施例の変形例を示した概略図である。図１５のように、支持台２０の直径はＬＥＤ１の直径より長く、支持台２０にはＬＥＤ１の周りにＬＥＤ１を保護するための保護壁２２が設置されることができる。保護壁２２は、本発明による視認性と形態性が向上したＬＥＤアセンブリの底飾り用のようにＬＥＤ１が破損しやすい部分に使用する場合、ＬＥＤ１が容易に破損することを防ぐためＬＥＤ１の周りに円形に形成されたものである。ここで、保護壁２２は必ずしもＬＥＤ１の周りを全て囲う必要は無い。
【００７１】
図１６は、本発明による視認性と形態性が向上したＬＥＤアセンブリの第３実施例の概略図である。図１６のように、本発明による第３実施例は、ＬＥＤ１、側壁４０、投光部１０、固定部３０を含み、側壁４０が含まれたことが特徴である。
【００７２】
側壁４０は、内部がＬＥＤ１の側面と接して外部は固定物９０と接する。即ち、側壁４０は、本発明による視認性と形態性が向上したＬＥＤアセンブリを固定物９０に固定させる場合、固定物９０と接する部分である。従って、側壁４０の直径は、投光部１０や固定部３０の直径より短いこととなる。
【００７３】
投光部１０は、側壁４０と連結され、ＬＥＤ１の発光部分を囲んで上記ＬＥＤ１の光を外部へ透過させる部分である。投光部１０は、少なくともひとつ以上の薄膜投光部１２と少なくともひとつ以上の厚膜投光部１４が形成されている。
【００７４】
固定部３０は、ＬＥＤ１の下部に位置し、内部にＰＣＢ基板を含むことができる。
【００７５】
図１７は、本発明による視認性と形態性が向上したＬＥＤアセンブリの第４実施例の概略図である。図１７のように、本発明の第４実施例は、ＬＥＤ１、支持台２０、側壁４０、投光部１０、固定部３０を含む。各部分については既に説明したため詳しい説明は省略する。
【００７６】
ここでも第２実施例と同様に、投光部１０とＬＥＤ１の部分は分離して製造することができ、これらは固定物９０の嵌込孔９２に嵌める過程において結合の利便性と頑固性のためにねじ山やフックなどを形成することができる。
【００７７】
また、投光部１０から光が前方へと放出され、側面に放出される量を減少させて視認性をさらに強調させるために、投光部１０の底面に反射板（未図示）を設けることもできる。この場合、光は反射板によって殆ど投光部１０の光の放出方向へと放出される。
【００７８】
図１８は、本発明による視認性と形態性が向上したＬＥＤアセンブリの第５実施例の概略図である。本発明の第５実施例は、取付部７０がさらに形成されたことを特徴とする。図１８は、第５実施例の一例として取付部が設けられたＬＥＤアセンブリの概略図である。図１８のように、本発明の第５実施例は、ＬＥＤ１、投光部１０、固定部３０及び取付部７０を含む。取付部７０についてのみ説明する。第５実施例は、本発明によるＬＥＤアセンブリの上部である取付部７０が固定物９０に取り付けられた場合であって、基本的に取付部７０を除いた部分は上記の第１ないし第４実施例を適用することができ、但し、上記の実施例とは異なってＬＥＤアセンブリの上部が固定物９０に取り付けられるため、固定物９０と取り付けるための取付部７０が上部に形成されるということのみ異なる。取付部７０は、固定物９０との取り付けのため投光部と同じか若干広い面積を有し、光の電波を妨げない範囲内で最大に薄く製作する。また、取付部７０は、固定物に高周波接着方法などによって取り付けられることができる。本実施例における固定部３０は、単純に内部にＰＣＢ基板と連結電線のみ含まれているだけで、固定物との取り付けの機能は持たない。図１８は、単純に第１一実施例に取付部７０が形成されたことを図示したが、第２ないし第４実施例もそのまま適用することができる。
【００７９】
図１９は、本発明による視認性と形態性が向上したＬＥＤアセンブリの第６実施例の概略図である。本発明の第６実施例は、光拡散部がさらに形成されていることを特徴とする。図１９は、第６実施例の一例として光拡散部が設けられたＬＥＤアセンブリの概略図である。図１９のように、本発明の第６実施例の一例は、ＬＥＤ１、投光部１０、固定部３０及び光拡散部８０を含む。
【００８０】
光拡散部８０は、ＬＥＤの光を１次的に拡散させる部分であって、その形態に特に制限は無いが、好ましくはＬＥＤ１を囲う形態であり、光拡散部８０の下部は固定部に結合され、固定部３０の下部からＬＥＤの側面に薄い壁を形成して上部に上がって、ＬＥＤの上部で凸レンズが形成された形態である。ＬＥＤ１から放射された光を光拡散部８０で１次的にさらに広く分散し、再び光拡散部８０の外部に位置する投光部１０によって２次的にさらに広く分散する。光拡散部の形状は、図１９とは異なって両側面がいずれも膨らんでいることもできる。図１９は、単純に第１一実施例に光拡散部８０が形成されたことを図示したが、第２ないし第４実施例もそのまま適用することができる。
【００８１】
図２０は、本発明による視認性と形態性が向上したＬＥＤアセンブリの第７実施例の概略図である。本発明の第７実施例は、上記の第１実施例ないし第６実施例におけるＬＥＤ発光装置２つを互いに取り付けて結合した形態である。第７実施例におけるＬＥＤ発光装置は、２つのＬＥＤ１、２つの投光部１０、一つの固定部３０を含む。ここで、固定部３０を中心として両面にそれぞれ一つの投光部とＬＥＤが形成されるようになる。図２０では、左側のＬＥＤアセンブリＸと右側のＬＥＤアセンブリＹがいずれも四角形を成しているが、必要に応じて左右側のＬＥＤアセンブリの形状が相互異なることもできる。例えば、左側のＬＥＤアセンブリＸは半球状で、右側のＬＥＤアセンブリＹは星状であることもできる。
【００８２】
第７実施例は、両面に光を拡散させることができる装置に使用され、固定部を通じて外部と連結されたり固定されることができる。ここで、外部との連結及び固定方法は、公知の技術を利用するためここでは記載しない。
【００８３】
また本発明による視認性と形態性が向上したＬＥＤアセンブリの電源供給手段には特に制限は無く、ＬＥＤが作動できれば問題ない。このような電源供給手段の一例としてバッテリー（蓄電器）、交流電源、直流電源、ソーラーセルまたはハイブリッドなどが挙げられる。
【００８４】
上記の説明は、ひとつのＬＥＤについて説明したが、上記の第１実施例ないし第６実施例におけるＬＥＤを複数組み合わせて文字または図形などを形成することができるということは明らかである。このような場合、複数のＬＥＤの組み合わせによる文字または図形は、遠距離だけでなくＬＥＤの直ぐ前と側面にも眩しいことなくその内容を容易に認識することができる。 
【００８５】
本明細書において近距離とは、ＬＥＤの直ぐ前の正面を含む概念である。
【００８６】
一方、本発明による視認性が向上されたバナーについて説明する。
【００８７】
本発明によるバナーは、日常生活で簡単に見当たるバナーの視認性を向上させるため、従来のバナーにＬＥＤアセンブリを取り付け、さらにＬＥＤアセンブリは特殊の投光部を採択することで、その視認性をさらに向上させ、広告ないし広報効果を最大化したことにその特徴がある。
【００８８】
図２１は、本発明による視認性が向上したバナーの例示図である。図２１のように、本発明による視認性が向上したバナーは、ＬＥＤアセンブリ１００、表示部２００、制御部、電源供給部で構成されている。
【００８９】
表示部２００は、本発明によるバナーの胴体部分であって、主に織物地、シート紙などで作られる。表示部２００は、市場で通常バナーと呼ばれるものを意味するもので、これに特に制限は無い。図１のように、表示部２００には伝えようとする内容が文字２２０、数字または図形にて表示されており、文字２２０、数字または図形の上にＬＥＤアセンブリ１００が取り付けられている。表示部２００の材質には特に制限は無いが、巻いたりつぶしたりしても復元可能な材質から成ることが好ましい。また表示部２００にはバナーを固定させるための固定手段を含むことができる。この固定手段には特に制限は無く、一例として、紐、棒、吸盤、連結棒などが挙げられる。
【００９０】
表示部２００は、図２１のように、前面のみに文字２２０を印刷して、ここにだけＬＥＤアセンブリ１００を取り付けることができるが、２つの表示部２００をくっ付けて両面に文字２２０をそれぞれ印刷し、これにそれぞれＬＥＤアセンブリ１００が取り付けられることができる。この場合には、ＬＥＤアセンブリ１００の後面の電気腺は二重の表示部の間に位置することとなり、両面から広告ないし広報ができるという長所がある。
【００９１】
必要によっては表示部の後面に補助部を取り付けることができる。ここで補助部は、表示部の前面に取り付けられたＬＥＤアセンブリの電線が表示部の後面の外部へ露出することを防ぐために取り付けるフィルムの一つであって、補助部は表示部と同じ材質からなることができる。補助部は、電線が露出した部分のみ取り付けることができ、表示部の後面の全体を覆うこともできる。また、補助部は、防水処理されることができ、これによって屋外に設置するときも雨などによって発生し得る電気的な問題を解決することができる。表示部と補助部の結合はその材質によって市場で通常使われる方法を使用する。表示部２００の具体的な例示は下記の実施例にてより詳しく説明する。
【００９２】
ＬＥＤアセンブリ１００は、表示部２００に一定の間隔で取り付けられている。ＬＥＤアセンブリ１００は、単にＬＥＤのみ使用することもでき、さらにＬＥＤに投光部を覆って使用することもできる。
【００９３】
但し、本発明によるバナーは、その視認性をさらに向上させるため、上記の投光部を含むＬＥＤアセンブリを使用することが好ましい。
【００９４】
電源供給部は、ＬＥＤ発光及び制御のための電源を供給する部分であって、これには特に制限は無い。一例として蓄電器、バッテリー、直流電源、ソーラーセルまたはハイブリッドのうちいずれかひとつ以上である。特に、本発明による視認性が向上したバナーは、従来のバナーに比べて少ない電力を消費するため、ソーラーセルまたはハイブリッドを使用するに適している。制御部と電源供給部は、通常必要な部分に設置すれば良いため、図面には別途に図示していない。
【００９５】
以下、具体的なバナーの形態を基準に、本発明による視認性が向上したバナーがどのように適用されるかについて述べる。
【実施例１】
【００９６】
店舗の前の据置台に設けられたバナー 
図２１は、本発明による視認性が向上したバナーの一実施例であって、据置台に設けられたバナーの斜視図である。これは一般的に道沿いの店舗の前に設けられたバナーであって、据置台３１０に表示部２００が取り付けられており、表示部２００には‘ＡＢＣ’のような文字２２０が印刷されており、上記文字２２０に沿って複数のＬＥＤアセンブリ１００が取り付けられている。図面には図示されていないが、別途の制御部と電源供給部が存在する。
【００９７】
このような本発明による視認性が向上したバナーは、従来の単純なバナーとは異なって、ＬＥＤアセンブリが取り付けられているため、夜間にも人に目立つことができると同時に、その内容を正確に伝えることができる。また、ＬＥＤアセンブリが透明な材質からなり、昼間にもバナーに印刷された文字２２０を人が容易に認識することができる。
【実施例２】
【００９８】
店舗の天井に設けられた商品の位置表示バナー
図２１は、本発明による視認性が向上したバナーの一実施例であって、店舗の上部に設けられた商品の位置表示バナーの概略図である。大型スーパーに行くと様々な製品が並んでいるため、客が物の位置を把握することが難しいため、大型スーパーの天井には製品の位置を知らせるためのバナーが設けられている。図２１は、このようなバナーの概略図である。図２１のように、天井４１０に連結された紐３５０によって表示部２００がぶら下がる。表示部２００には‘ラーメン’と矢印２２０が印刷されており、その中には複数のＬＥＤアセンブリ１００が取り付けられている。このようなバナーは、他の一般のバナーよりも人に目立ちやすいため、特にセールスプロモーションが必要な商品に対して客の目を引くために使用することができる。
【実施例３】
【００９９】
出入り口バナー 
図２２は、本発明による視認性が向上したバナーの一実施例であって、店舗の出入り口に設けられたバナーの概略図である。これは店舗の出入り口に紐や棒などを設けてこれにバナーをぶら下げる形態であって、日本ではこれを‘のれん’という。図２２のように、棒３２０には横形の表示部２００がぶら下がっており、表示部２００には‘ＡＢＣＤＥ’という文字２２０が印刷され、文字２２０の内部には複数のＬＥＤアセンブリ１００が取り付けられている。
【実施例４】
【０１００】
街路灯バナー 
図２３は、本発明による視認性が向上したバナーの一実施例であって、街路灯バナーの概略図である。これは、街路灯、信号灯、街路樹などに設置されるバナーであって大都市の町でよく見られるバナーである。図２３のように、街路灯４３０には連結棒３５０が連結され、連結棒３５０には表示部２００が取り付けられている。表示部２００には王冠と‘ＣＲＯＷＮ’という文字２２０が印刷され、文字２２０の内部には複数のＬＥＤアセンブリ１００が取り付けられている。街路灯バナーは、場合によってバナーの下段部に別途の固定手段を有することもできる。
【実施例５】
【０１０１】
垂れ幕 
図２４は、本発明による視認性が向上したバナーの一実施例であって、垂れ幕の概略図である。これは通常垂れ幕と呼ばれるものであって、町に設置された大型の垂れ幕から店舗内に設けられた小型の垂れ幕までの全てを含む。図２４のように、電柱４２０に連結された固定紐３３０によって表示部２００が連結られており、表示部２００には‘ＡＢＣ’という文字２２０が印刷されており、文字２２０の内部には複数のＬＥＤアセンブリ１００が取り付けられている。
【実施例６】
【０１０２】
ガラス窓バナー
図２５は、本発明による視認性が向上したバナーの一実施例であって、ガラス窓に設けられたバナーの概略図である。これは、店舗でガラス窓の内外に設置した小型のバナーを意味する。図２５のように、ガラス窓４４０に吸盤３７０によって固定された表示部２００が取り付けられている。表示部２００には‘５０％’という文字２２０が印刷され、文字２２０の内部には複数のＬＥＤアセンブリ１００が取り付けられている。
【実施例７】
【０１０３】
人を使ったバナー 
図２６は、本発明による視認性が向上したバナーの一実施例であって、人を使ったバナーの概略図である。これは最近町並みで人を使って広告内容が書かれたバナーを持ったり体に掛けたりするバナーである。図２６のように、人の肩に掛けた紐３４０には前後に表示部２００がぶら下がっており、表示部２００には‘５０％’という文字２２０が印刷され、文字２２０の内部には複数のＬＥＤアセンブリ１００が取り付けられている。
【０１０４】
上記の実施例の他にも様々なバナーに本発明による視認性が向上したバナーを適用することができる。
【産業上の利用可能性】
【０１０５】
本発明による視認性と形態性が向上したＬＥＤアセンブリは、遠距離及び近距離での視認性及び形態性が向上してＬＥＤアセンブリが使える全ての分野にかけて使用することができる。代表的な例として、看板、バナー、各種の表示板、カーペット、カバン、傘、レインコート、アームバンド、保護帽などが挙げられる。
【図１】
2012517713.tif 000003
【図２】
2012517713.tif 000004
【図３】
2012517713.tif 000005
【図４】
2012517713.tif 000006
【図５】
2012517713.tif 000007
【図６】
2012517713.tif 000008
【図７】
2012517713.tif 000009
【図８】
2012517713.tif 000010
【図９】
2012517713.tif 000011
【図１０】
2012517713.tif 000012
【図１１】
2012517713.tif 000013
【図１２】
2012517713.tif 000014
【図１３】
2012517713.tif 000015
【図１４】
2012517713.tif 000016
【図１５】
2012517713.tif 000017
【図１６】
2012517713.tif 000018
【図１７】
2012517713.tif 000019
【図１８】
2012517713.tif 000020
【図１９】
2012517713.tif 000021
【図２０】
2012517713.tif 000022
【図２１】
2012517713.tif 000023
【図２２】
2012517713.tif 000024
【図２３】
2012517713.tif 000025
【図２４】
2012517713.tif 000026
【図２５】
2012517713.tif 000027
【図２６】
2012517713.tif 000028
【国際調査報告】
2012517713.tif 000029
2012517713.tif 000030
2012517713.tif 000031
2012517713.tif 000032